(57)【要約】      （修正有）【課題】台座及び本体を含む、取り外し可能な美容用硬化装置を提供する。【解決手段】本体１は取り外し可能に台座２に固定され、複数の壁面及び開口を含むベースフレームと、複数のＵＶダイオードランプを備えるＵＶダイオードモジュールと、前記ベースフレームに固定されて前記ベースフレームと本体１を構成する上蓋と、を含む。制御モジュールは本体１に設置される。把持部３は本体１の側辺に設置される。電池は本体１内部に設置される。充電ポート４は台座２の側辺に設置される。台座２と本体１との間が電気的に接続可能なことで、充電ポート４は本体１中の電池を充電する。【選択図】図１
0003215498.tif 000002
【実用新案登録請求の範囲】
【請求項１】
台座と、
取り外し可能に前記台座に固定される本体であって、
複数の壁面及び開口を含み、前記壁面と前記開口がチャンバを形成するベースフレームと、
それぞれが複数のＵＶ発光ダイオードランプを具備し、起動する際、前記ＵＶ発光ダイオードランプが紫外線を放って前記チャンバを照射する複数のＵＶダイオードモジュールと、
前記ベースフレームに固定され、前記ベースフレームと共に前記本体のケーシングを構成する上蓋と、を含む本体と、
前記本体に設置され、前記ＵＶダイオードモジュールの起動を制御するための制御モジュールと、
前記本体の側辺に設置され、前記本体を取り出すことができる把持部と、
前記本体内部に設置された電池と、
前記台座の側辺に設置されて、外部電源に接続できる充電ポートと、
を含み、
前記台座は正極及び負極の１対のピンを備え、前記本体は対応する１対のピンスロットを備え、前記台座の前記１対のピンと前記本体の前記１対のピン凹溝で前記本体と前記台座を電気的に接続することを特徴とする、
取り外し可能な美容用硬化装置。
【請求項２】
前記本体の底部に１対の係止フックを備え、前記台座に対応する１対の係止フック溝を備え、前記本体の前記１対の係止フックと前記台座の前記１対の係止フック溝が係合することで、前記本体は取り外し可能に前記台座に固定されることを特徴とする、
請求項１に記載の取り外し可能な美容用硬化装置。
【請求項３】
前記台座に複数の磁石を設置し、前記本体の対応する位置に複数の磁気吸着部材を設置し、前記台座の前記磁石と前記本体の前記磁気吸着部材との間で吸着することで、前記本体は取り外し可能に前記台座に固定されることを特徴とする、
請求項１に記載の取り外し可能な美容用硬化装置。
【請求項４】
前記本体の底部に複数のガスケットを備え、前記台座の対応する位置に複数の凹溝を設置し、前記本体の前記ガスケットと前記台座の前記凹溝が係合することで、前記本体は取り外し可能に前記台座に固定されることを特徴とする、
請求項１に記載の取り外し可能な美容用硬化装置。
【請求項５】
前記制御モジュールはさらに、それぞれ異なる設定時間パターンを起動できる複数のスタートボタンを含むことを特徴とする、
請求項１に記載の取り外し可能な美容用硬化装置。
【請求項６】
前記制御モジュールはさらに、カウントダウンの秒数を表示できる画面表示装置を含むことを特徴とする、
請求項１に記載の取り外し可能な美容用硬化装置。
【請求項７】
前記台座は、外部装置と前記台座を電気的に接続させることができるＵＳＢ接続ポートを備えることを特徴とする、
請求項１に記載の取り外し可能な美容用硬化装置。
【請求項８】
前記本体は、外部部材と電気的に接続することができる電源供給ポートを備えることを特徴とする、
請求項１に記載の取り外し可能な美容用硬化装置。
【請求項９】
前記ＵＶダイオードモジュールは各々少なくとも２種類の異なる範囲の波長のＵＶダイオードランプを備えることを特徴とする、
請求項１に記載の取り外し可能な美容用硬化装置。
【請求項１０】
前記台座は指位置決め凹溝を備えることを特徴とする、
請求項１に記載の取り外し可能な美容用硬化装置。
【請求項１１】
前記本体の底部に少なくとも１つのフットスタンドを設置し、前記台座の対応する位置に少なくとも１つのフットスタンド凹溝を設置し、前記フットスタンドは折り畳み位置と支持位置との間を切り換えることができ、前記フットスタンドは、前記折り畳み位置にある時、前記本体の底部にフラットになり、前記支持位置にある時、前記フットスタンド凹溝に立てることができることで、前記本体の一端を前記台座との間で、ある高さ位置まで持ち上げることを特徴とする、
請求項１に記載の取り外し可能な美容用硬化装置。
【考案の詳細な説明】
【技術分野】
【０００１】
本考案は光硬化装置に関し、特にＵＶ発光ダイオードで人体の爪に作用することで、人体の手の爪及び足の爪に塗布した液体ジェルが硬化する効果を高めることに関する。
【背景技術】
【０００２】
アートネイルの分野では、紫外線の光源を使用して手足の爪に塗布したＵＶ液体ジェルに照射することは一般的な技術である。例えば、外観が逆Ｕ字型で、切り欠き箇所に手指を平らに置き、手（足）の爪に照射する、手足の爪專用の紫外線硬化装置が巷間で見受けられる。また、前記硬化装置を持って１８０度回転させ、光源を足の指に向けて足の爪に照射することもできる。然しながら、この種の硬化装置の欠点は、足の爪に照射する際、硬化装置全体を持たねばならず、使用面でかなり不便なことである。
【０００３】
また、別の従来の手足の爪專用の硬化装置もありふれた装置であり、ハウジング内でＵＶ発光ダイオードの光源をカバーし、ハウジングの一端に手足の爪が進入可能な開口を設置したことで、ユーザは手足を前記開口に進入させて手（足）の爪に照射する。この種の硬化装置を使用する際、ユーザは、装置を通常テーブルのへりに移動させて、足をテーブルの上に持ち上げるが、一定時間経つと、だるさや疲れを感じる。
【考案の概要】
【考案が解決しようとする課題】
【０００４】
上記従来の技術の欠点に鑑みて、本考案の目的は、使用面で便利な美容用硬化装置を提供することである。
【課題を解決するための手段】
【０００５】
分離可能な本体と台座を設置し、ユーザが本体を手に持って直接足の爪を照射することができる、取り外し可能な美容用硬化装置を提供する。取り外し可能な光硬化装置全体を持ち上げる必要が無く、また、わざわざ足をテーブルの上に持ち上げる必要もなく、使用面で一層便利となる。
【０００６】
前述の目的を達成するために、本考案は、台座、本体、制御モジュール、把持部、電池及び充電ポートを含む、取り外し可能な美容用硬化装置を提供する。前記本体は、取り外し可能に台座に固定される。また、前記本体は、複数の壁面及び開口を含み、前記壁面と開口がチャンバを形成するベースフレームと、複数のＵＶ発光ダイオードランプを具備し、起動する際、前記ＵＶ発光ダイオードランプが紫外線を放射して前記チャンバを照射する複数のＵＶダイオードモジュールと、ベースフレームに固定され、ベースフレームと共に本体のケーシングを構成する上蓋と、を含む。前記制御モジュールは、本体に設置され、前記ＵＶダイオードモジュールの起動を制御する。前記把持部は本体の側辺に設置され、ユーザは把持部で本体を取り出すことができる。前記電池は本体内部に設置される。前記充電ポートは、前記台座の側辺に設置されて、外部電源に接続できる。台座は正極及び負極の１対のピンを備え、前記本体は対応する１対のピンスロットを備え、前記台座の前記１対のピンと前記本体の前記１対のピン凹溝で前記本体と前記台座を電気的に接続する。
【０００７】
従来の考案と異なり、本考案の長所は、本体に把持部を備え、前記把持部はユーザが使用する際に便利で、本体を台座から容易に持ち上げることができ、また、前記電池が本体の内部にあるため、充電が完了すると、本体と台座を分離して使用することができ、外部の充電ラインに余計に接続する必要がないことにある。このほかに、本装置は、台座の側辺に充電ポートを備え、外部の電源ラインに接続すると、同時に台座と本体を充電することができる。また、本装置は、台座の側辺にＵＳＢ接続ポートを備え、前記接続ポートは外部と同一の接続ポート端子を有して互いに接続することができる。
【０００８】
本考案の一実施例では、前記本体の底部に１対の係止フックを備え、前記台座に対応する１対の係止フック溝を備え、前記本体の前記１対の係止フックと前記台座の前記１対の係止フック溝が係合することで、前記本体は取り外し可能に前記台座に固定される。
【０００９】
本考案の一実施例では、前記台座に複数の磁石を設置し、前記本体の対応する位置に複数の磁気吸着部材を設置し、前記台座の前記磁石と前記本体の前記磁気吸着部材との間で吸着することで、前記本体は取り外し可能に前記台座に固定される。
【００１０】
本考案の一実施例では、前記本体の底部に複数のガスケットを備え、前記台座の対応する位置に複数の凹溝を設置し、前記本体の前記ガスケットと前記台座の前記凹溝が係合することで、前記本体は取り外し可能に前記台座に固定される。
【００１１】
本考案の一実施例では、前記制御モジュールはさらに、それぞれ異なる設定時間パターンを起動できる複数のスタートボタンを含む。
【００１２】
本考案の一実施例では、前記制御モジュールはさらに、カウントダウンの秒数を表示できる画面表示装置を含む。
【００１３】
本考案の一実施例では、前記台座は、外部装置と前記台座を電気的に接続させることができるＵＳＢ（Ｕｎｉｖｅｒｓａｌ  Ｓｅｒｉａｌ  Ｂｕｓ）接続ポートを備える。
【００１４】
本考案の一実施例では、前記本体は、外部部材と電気的に接続することができる電源供給ポートを備える。
【００１５】
本考案の一実施例では、前記ＵＶダイオードモジュールは各々少なくとも２種類の異なる範囲の波長のＵＶダイオードランプを備える。
【００１６】
本考案の一実施例では、本体の底部に少なくとも１つのフットスタンドを設置し、台座の対応する位置に少なくとも１つのフットスタンド凹溝を設置する。フットスタンドは折り畳み位置と支持位置との間を切り換えることができる。フットスタンドは、折り畳み位置にある時、本体の底部にフラットになる。フットスタンドは、支持位置にある時、フットスタンド凹溝に立てることができることで、本体の一端を台座との間で、ある高さ位置まで持ち上げる。
【図面の簡単な説明】
【００１７】
当業者は図面を参照し下記の詳細な説明を閲読すれば、本考案の各態様とその具体的特徴と長所が良く理解するであろう。図面は以下を含む。
【図１】本考案の好ましい実施例に基づく、本体と台座の斜視図である。
【図２】本考案の好ましい実施例に基づく、取り外し可能な美容用硬化装置の斜視図である。
【図３】本考案の好ましい実施例に基づく、本体と台座の分解図である。
【図４】本考案の好ましい実施例に基づく、本体の斜視図である。
【図５】本考案の好ましい実施例に基づく、制御モジュールの概略図である。
【図６】本考案の好ましい実施例に基づく、取り外し可能な美容用硬化装置の使用概略図である。
【考案を実施するための形態】
【００１８】
以下、図面と参照符号を組み合わせて本考案における実施形態について、さらに詳細に説明する。なお、当業者は本明細書を検討した上、実施することができる。
【００１９】
図１は、本考案の好ましい実施例に基づく、本体と台座の斜視図である。図２は、本考案の好ましい実施例に基づく、取り外し可能な美容用硬化装置の斜視図である。図１と図２のように、本考案の取り外し可能な美容固定装置は、主に本体１と台座２を含む。本考案の好ましい実施例の取り外し可能な美容用硬化装置によれば、本体１は台座２に設置して使用し充電することができるが、本体の片側に設置した把持部３で本体１を台座２から持ち上げて使用することもできる。以下、先ずそれぞれ本体１と台座２の詳細な構造について説明する。
【００２０】
図３は、本考案の好ましい実施例に基づく本体と台座の分解図である。図１〜図３のように、本考案の好ましい実施例では、本体１は主に上蓋１８とベースフレーム１３を含む。前記上蓋１８は円弧状で、前記ベースフレーム１３は上蓋１８に対応する形状となっている。図２のように、前記ベースフレーム１３は複数の壁面と開口を含み、前記壁面と開口はチャンバを形成する。また、図３のように、ベースフレーム１３に繰り返し充電可能な電池１９と複数のＵＶダイオードモジュール２０が設置される。電池１９は、ここでは、前記ＵＶダイオードモジュール２０と装置内の他の部材に電力を供給し、本体１と台座２の間を電気的に接続することで繰り返し充電ができる、繰り返し充電可能なリチウム電池である。充電方法は以下で詳細に説明する。ＵＶダイオードモジュール２０は、複数のＵＶダイオードランプを備え、起動する際、ベースフレーム１３のチャンバに紫外線を照射することができる。また、本考案の好ましい実施例では、前記ＵＶダイオードモジュールは、それぞれ少なくとも２種類の異なる範囲の波長のＵＶダイオードランプを含む。また、本考案の好ましい実施例では、ＵＶダイオードランプのレンズ（図示せず）の角度は集光効果を奏することができ、出射された紫外線を一層集中させることができる。ベースフレーム１３に各部材を設置した後、上蓋１８とベースフレーム１３を互いに接合固定して、上記の上蓋１８とベースフレーム１３により本体１のケーシングを形成することで、本体１内に各部材を収納することができる。因みに、本考案では、上蓋１８とベースフレーム１３は何れもプラスチック材料で製作されるが、材質はこれに限定されない。
【００２１】
図１〜図３のように、本体１はさらにＵＶダイオードモジュール２０の起動を制御するための制御モジュールを含む。本考案の好ましい実施例では、制御モジュールは上蓋１８の表面に設置された画面表示装置１１とスタートボタン１２を含むが、例えば、タッチスクリーン、スイッチ等といった、ＵＶダイオードモジュールを起動可能な部材であれば何でもよい。ユーザはスタートボタン１２で取り外し可能な美容用硬化装置の操作を行え、例えば、このうちの１つのスタートボタン１２を押下すると、ＵＶダイオードモジュール２０を対応する時間、起動することができ、画面表示装置１１は起動時間の秒数のカウントダウンを表示することができる。なお、詳細な操作パターンは以下に詳細に説明する。
【００２２】
図１〜図２のように、台座２は同様に本体１に対応した形状であり、本体１を取り外し可能に台座２に設置することができる。台座２の後端に充電ポート４とＵＳＢ接続ポート５を設置する。充電ポート４は外部電源と電気的に接続されて充電でき、更に正確には、充電ポート４は台座２への電力供給が可能な上に、台座２と本体１が電気的に接続されると、本体１内の部材と電池１９に電力を供給することができる。接続ポート５はＵＳＢのスロットで、前記スロットは外部の対応するＵＳＢ部材と接続可能である。ピン１４は台座２の上面に設置された、正極と負極のある1対のピンである。前記ピン１４は1対の棒状の突出部材で、本体１の対応位置のピンスロット（図示せず）と電気的に接続できる。本体１及び台座２は上記ピン１４で互いに接合できる上に、台座の凹溝９と本体１のガスケット７によって、台座２の係止フック溝８と本体１の係止フック６を互いにより一層固定することができる。以下、本体１と台座２の間の固定方法についてさらに説明する。
【００２３】
図１〜図３のように、更に、台座２は１つの上台座２２と１つの下台座２１を含み、上台座２２と下台座２１の形状は互いに対応しており、互いに固定され一緒に結合されて台座２を形成することができる。前記上台座２２の下方に複数の磁石１５を設置し、ベースフレーム１３上の対応する位置に対応する数量の磁気吸着部材１６を設置し、磁石１５と磁気吸着部材１６の間の磁力吸引によって、本体１と台座２の間を互いに固定することができる。ここでは磁気吸着部材１６は、例えば鉄部材、ネジ等といった、磁石で吸引される部材であれば何でもよいが、磁気吸着部材１６の種類はこれらに限定されない。上記の張り合わせ方法により、本体１と台座２を緊密に張り合わせることができると共に、容易に台座２から本体１を持ち上げることができる。
【００２４】
図１〜図２のように、台座２の上表面に１つの指位置決め凹溝１７を有し、前記指位置決め凹溝１７のへりは台座２の表面から円弧形の突起を有し、ユーザが光硬化しようとする部位を入れると、光硬化部位を前記凹溝内に位置決めすることができる。
【００２５】
図４は、本考案の好ましい実施例に基づく本体の斜視図である。図１と図４のように、本体１の下方に複数のガスケット７と２つの係止フック６を設置する。前記ガスケット７と図１の凹溝９とは対応する構造で、本体１上のガスケット７と台座２上の凹溝９が互いに係合し、本体１と台座２を固定することができる。前記係止フック６は図１の係止フック溝８と互いに係合できるので、本体１と台座２は容易には揺れ動かない。本考案の使用方法をさらに詳細に説明する。図２は、本体１と台座２が互いに貼り合わさった状態を示している。この考案を実行する際、手や足の爪を本体１と台座２の間に入れ、照射しようとする部位を図１における指位置決め凹溝１７の上方に置くだけで、照射部位がベストな照射位置となり、続いて待ち時間のカウントダウンが起動し、カウントダウンが終了した時点で光硬化反応が完了する。
【００２６】
次に、本考案が取り外し可能な美容用硬化装置であることを、さらに詳細に説明するために、図６を参照する。図６は、本考案の好ましい実施例に基づく取り外し可能な美容用硬化装置の使用概略図であり、ユーザが本体１を把持して持ち上げ易いよう、把持部３で本体１を握ることができる。
【００２７】
続いて本体１と台座２の接合パターンを説明する。本考案の好ましい実施例では、本体１と台座２の間には主に３種類の接合パターンがある。先ず、図１と図２では、本体１のガスケット７と台座２の凹溝９が対応する構造であり、本体１上のガスケット７と台座２上の凹溝９が係合し、本体１と台座２とを互いに固定することができる。両者が接合すると図２の外観のようになる。次に、図１と図４では、図４のように、前記本体１は一対の係止フック６を備え、係止フック６は図１の台座２の係止フック溝８としっかり係合することができる。最後に、図１〜図３では、上台座２２下方の磁石１５と本体１の磁気吸着部材１６が磁気吸着結合できることで、本体１と台座２の間の連結がさらに安定する。本体１と台座２が接合すると図２の外観のようになる。
【００２８】
図５は、本考案の好ましい実施例に基づく制御モジュールの概略図である。図５と図３を参照する。図５を上から見ると、前記本体１の上方に画面表示装置１１とスタートボタン１２を備える。本考案の好ましい実施例では、前記スタートボタン１２は主に４種類の設定時間パターンに分けられ、それぞれ１０秒、３０秒、６０秒、９０秒である。このうち、９０秒の照射時間は回路の設計上、事前にエネルギーステップ式の上昇パターンに設定されているが、いわゆるエネルギーステップ式の上昇パターンとは、最初の０−２０秒で３０％のエネルギーを放出し、２０−４０秒で半分のエネルギーを放出し、４０−６０秒で７０％のエネルギーを放出し、最後の６０−９０秒で全部のエネルギーを放出するため、ＵＶダイオードモジュール２０のＵＶダイオードランプに対応して、前記ダイオードランプから放出される光強度が漸進式で照射されることが分かる。因みに、ユーザはニーズに応じて設定時間パターン中の起動時間とスタートボタン１２の数量を調整することができ、或いは、スタートボタンをユーザが秒単位で必要な使用時間を自由に設定する使用形式に調整することもできる。ユーザがこのうちの、ある秒数を押下すると、図３に表示されたＵＶダイオードモジュール２０が起動し、前記ＵＶダイオードモジュール２０は特定波長の光源を放射してユーザが光硬化しようとする部位を照射する。いわゆる特定波長の光源は、前記ＵＶダイオードモジュール２０に、３５５−３７５ｎｍ波長のＬＥＤランプと、それとは別に３９０−４１０ｎｍ波長のＬＥＤランプといった、異なる波長のＬＥＤランプが含まれている。異なる波長のＬＥＤランプはそれぞれ異なる発光エネルギーを供給することができる。上記異なる発光エネルギーは、異なる製品の使用に応じて必要な光硬化の時間が異なり、例えば、異なる厚みのジェルの塗布に必要な光硬化時間も異なるため、発光エネルギーが異なる秒数に対応して、相応しい時間帯を自由に選択するよう特別に設計したことで、ユーザは一層便利にネイルジェルの光硬化に必要な時間を制御する。また、１種類以上の稼動パターンをエネルギーステップ上昇のパターンを有するように設定し、即ち、異なる範囲の波長のＬＥＤランプにより、照射時間に伴ってステップ式に上昇する照射エネルギーを供給することで、ネイルアートジェルが硬化する際に生じる硬化熱を低減させることができる。一般的に、こうした設定がないと硬化部位に灼熱感が生じ易くなる。
【００２９】
図１を再度参照すると、前記台座２の側辺のＵＳＢ接続ポート５は、ＵＳＢ接続ポートスロットであり、前記スロットはユーザが、例えば、同じＵＳＢ端子のネイルアート卓上ランプ、ＵＳＢ集塵器、ＵＳＢ空気清浄機、及びＵＳＢ充電器関連製品といった、外部装置に接続することができ、大幅に使用面での実用性、利便性が向上した。また、本体１は１２Ｖの端子の電源供給ポート１０を備え、前記端子で外部装置と電気的に接続することで、外部製品に電力を供給する。例えば、前記外部装置には１２Ｖのネイルアート卓上ランプ、１２Ｖのネイル研磨機、１２Ｖの集塵器、及び１２Ｖの空気清浄機が含まれる。
【００３０】
図１を再度参照すると、ここで磁気吸着による接合方法で台座２と本体１の間の電気的な接続を安定且つ増強する方法をさらに説明する。台座２の上方に正極と負極のある１対のピン１４を備え、本体１の対応位置に前記１対のピン１４と電気的に接続することができるピンスロットを設置する（図示せず）。本体１に充電が必要な時、先ず本体１上のピンスロットを台座２のピン１４に照準を合わせた上で、ピン１４をピンスロットに插入することで、本体１と台座２の両者を互いに電気的に接続することができる。また、上台座２２下方の磁石１５と本体１の磁気吸着部材１６の間の磁気吸着結合によって、ピン１４とピンスロットの間の連結をより強固にすることができる。本体１と台座２が完全に接合されると、台座２の充電ポート４が外部電源と電気的に接続されて充電できると共に、本体１と台座２が電力を供給して電池１９に充電する。磁石１５と磁気吸着部材１６は抵抗を減らして電気的接続の安定性をより高め、数時間後に電池１９の充電が完了すると、そのときの状況に応じて本体１を単独で使用したり、本体１と台座２を同時に接合して使用したりすることができる。
【００３１】
図１を再度参照し、ここでガスケットの係合方法の効果をさらに説明する。本体１のガスケット７は台座２の凹溝９と互いに係合するが、前記ガスケット７は弾力的な材質を備え、通常、シリコン素材が使用され、本体１と台座２の間は取り外し可能に互いに固定されて、本体１と台座２の間の安定性を高める。図１と図４を再度参照すると、図４のように、本体１は１対の係止フック６を備え、係止フック６は、図１の台座２の係止フック溝８としっかり係合すると揺れ動かない。
【００３２】
また、図１と図４を参照すると、本考案の実施例では、本体１の開口の底部両側付近にそれぞれフットスタンド２３を設置し、台座２の開口端両側付近の対応する位置にそれぞれフットスタンド凹溝２４を設置する。前記フットスタンド２３は、折り畳み位置と支持位置の間で切り換えることができる。フットスタンド２３が折り畳み位置にある時、図１のように、本体１の底部にフラットとなる。また、フットスタンド２３が図４のように支持位置にある時、フットスタンド凹溝２４内に直立させて、本体１の一端を台座２との間で、ある高さ位置まで持ち上げることで、ユーザは異なるパターンで照射することができる。
【００３３】
図６を再度参照すると、ユーザが本体１を持ち上げて使用する必要がある場合、手で把持部３を握り持って本体１を持ち上げるため、本体１の別方向の開口に触れる必要が無い。なお、別方向の開口から本体１を握り持つと、ユーザの手指がＬＥＤランプに接触してＬＥＤランプを壊したり汚したりする虞がある。また、把持部３は取っ手構造であり、ユーザは把持部３によって本体１を台座２から容易に持ち上げることができ、外出時には、随時取り出して外出先での使用が可能であり、しかも長時間の充電で、電池の持ち時間は１時間ないし１時間半であることから、使用時間は充分である。上記説明から分かるように、前記把持部３を利用することで、本考案における使用面で随時取り出せる利便性や、ＬＥＤランプを汚す虞の防止の向上に資する。
【００３４】
以上、本考案の実施形態について図面を参照して詳述したが、具体的な構成はこの実施形態に限られるものではなく、本考案の要旨を逸脱しない範囲の設計変更等も含まれる。
【符号の説明】
【００３５】
１    本体
２    台座
３    把持部
４    充電ポート
５    ＵＳＢ接続ポート
６    係止フック
７    ガスケット
８    係止フック溝
９    凹溝
１０  電源供給ポート
１１  画面表示装置
１２  スタートボタン
１３  ベースフレーム
１４  ピン
１５  磁石
１６  磁気吸着部材
１７  指位置決め凹溝
１８  上蓋
１９  電池
２０  ＵＶダイオードモジュール
２１  下台座
２２  上台座
２３  フットスタンド
２４  フットスタンド凹溝
【図１】
0003215498.tif 000003
【図２】
0003215498.tif 000004
【図３】
0003215498.tif 000005
【図４】
0003215498.tif 000006
【図５】
0003215498.tif 000007
【図６】
0003215498.tif 000008
【手続補正書】
【提出日】平成30年1月25日(2018.1.25)
【手続補正１】
【補正対象書類名】実用新案登録請求の範囲
【補正対象項目名】全文
【補正方法】変更
【補正の内容】
【実用新案登録請求の範囲】
【請求項１】
台座と、
取り外し可能に前記台座に固定される本体であって、
複数の壁面及び開口を含み、前記壁面と前記開口がチャンバを形成するベースフレームと、
それぞれが複数のＵＶ発光ダイオードランプを具備し、起動する際、前記ＵＶ発光ダイオードランプが紫外線を放って前記チャンバを照射する複数のＵＶダイオードモジュールと、
前記ベースフレームに固定され、前記ベースフレームと共に前記本体のケーシングを構成する上蓋と、を含む本体と、
前記本体に設置され、前記ＵＶダイオードモジュールの起動を制御するための制御モジュールと、
前記本体の側辺に設置され、前記本体を取り出すことができる把持部と、
前記本体内部に設置された電池と、
前記台座の側辺に設置されて、外部電源に接続できる充電ポートと、
を含み、
前記台座は正極及び負極の１対のピンを備え、前記本体は対応する１対のピンスロットを備え、前記台座の前記１対のピンと前記本体の前記１対のピンスロットで前記本体と前記台座を電気的に接続することを特徴とする、
取り外し可能な美容用硬化装置。
【請求項２】
前記本体の底部に１対の係止フックを備え、前記台座に対応する１対の係止フック溝を備え、前記本体の前記１対の係止フックと前記台座の前記１対の係止フック溝が係合することで、前記本体は取り外し可能に前記台座に固定されることを特徴とする、
請求項１に記載の取り外し可能な美容用硬化装置。
【請求項３】
前記台座に複数の磁石を設置し、前記本体の対応する位置に複数の磁気吸着部材を設置し、前記台座の前記磁石と前記本体の前記磁気吸着部材との間で吸着することで、前記本体は取り外し可能に前記台座に固定されることを特徴とする、
請求項１に記載の取り外し可能な美容用硬化装置。
【請求項４】
前記本体の底部に複数のガスケットを備え、前記台座の対応する位置に複数の凹溝を設置し、前記本体の前記ガスケットと前記台座の前記凹溝が係合することで、前記本体は取り外し可能に前記台座に固定されることを特徴とする、
請求項１に記載の取り外し可能な美容用硬化装置。
【請求項５】
前記制御モジュールはさらに、それぞれ異なる設定時間パターンを起動できる複数のスタートボタンを含むことを特徴とする、
請求項１に記載の取り外し可能な美容用硬化装置。
【請求項６】
前記制御モジュールはさらに、カウントダウンの秒数を表示できる画面表示装置を含むことを特徴とする、
請求項１に記載の取り外し可能な美容用硬化装置。
【請求項７】
前記台座は、外部装置と前記台座を電気的に接続させることができるＵＳＢ接続ポートを備えることを特徴とする、
請求項１に記載の取り外し可能な美容用硬化装置。
【請求項８】
前記本体は、外部部材と電気的に接続することができる電源供給ポートを備えることを特徴とする、
請求項１に記載の取り外し可能な美容用硬化装置。
【請求項９】
前記ＵＶダイオードモジュールは各々少なくとも２種類の異なる範囲の波長のＵＶダイオードランプを備えることを特徴とする、
請求項１に記載の取り外し可能な美容用硬化装置。
【請求項１０】
前記台座は指位置決め凹溝を備えることを特徴とする、
請求項１に記載の取り外し可能な美容用硬化装置。
【請求項１１】
前記本体の底部に少なくとも１つのフットスタンドを設置し、前記台座の対応する位置に少なくとも１つのフットスタンド凹溝を設置し、前記フットスタンドは折り畳み位置と支持位置との間を切り換えることができ、前記フットスタンドは、前記折り畳み位置にある時、前記本体の底部にフラットになり、前記支持位置にある時、前記フットスタンド凹溝に立てることができることで、前記本体の一端を前記台座との間で、ある高さ位置まで持ち上げることを特徴とする、
請求項１に記載の取り外し可能な美容用硬化装置。